(57)【要約】【課題】  部品点数を増やさずに分岐部を備える。【解決手段】  フラットハーネス１は、本回路部３０と、分岐回路部４０，５０とを備えて構成され、本回路部３０の少なくとも一方の面には、複数の導体１０を露出させる開口窓部６０が形成され、更に所定の導体１０を露出させる分岐開口部８０が形成された絶縁フィルム７０が開口窓部６０を覆うように貼り付けられ、分岐回路部４０，５０の口出しされた導体１０は、この分岐開口部８０において本回路部３０の導体１０と直接接続され分岐部９０が形成される。【選択図】  図１
2005135823.tif 000002
【特許請求の範囲】
【請求項１】
複数の導体を平面状に並設し絶縁被覆で帯状に覆った構造からなるフラットハーネスの分岐構造であって、
前記フラットハーネスは、複数の部材間を電気的に接続する本回路部及びこの本回路部から分岐する分岐回路部を備え、
前記本回路部は、少なくとも一方の面に前記絶縁被覆を除去して前記複数の導体を露出させた開口窓部が形成されると共に、この開口窓部を覆う絶縁部材を有し、前記絶縁部材は、前記開口窓部内で露出された複数の導体の前記分岐回路部と接続される部分のみを露出させる分岐開口部を備えてなり、
前記分岐回路部は、前記分岐開口部から露出された導体に前記分岐回路部の導体を直接接続した分岐部を介して前記本回路部から分岐されている
ことを特徴とするフラットハーネスの分岐構造。
【請求項２】
前記分岐開口部は、１つの前記分岐部に対して１つ形成されていることを特徴とする請求項１記載のフラットハーネスの分岐構造。
【請求項３】
前記絶縁部材は、絶縁樹脂からなる可撓性を有する絶縁フィルム又は硬質の絶縁スペーサであることを特徴とする請求項１又は２記載のフラットハーネスの分岐構造。
【請求項４】
複数の導体を平面状に並設し絶縁被覆で覆った構造からなるフラットハーネスの製造方法であって、
帯状に送り出された第１及び第２の絶縁被覆の両方の所定箇所に所定の大きさの開口部を形成すると共に前記第１及び第２の絶縁被覆の少なくとも一方の所定箇所に所定の大きさの開口窓部を形成する穴あけ工程と、
前記第１及び第２の絶縁被覆のいずれか一方に前記複数の導体を配置する導体配置工程と、
この導体配置工程を経て前記複数の導体が配置された前記第１及び第２の絶縁被覆のいずれか一方の上に、前記第１及び第２の絶縁被覆のいずれか他方を前記開口部が重なるように載置して両絶縁被覆で前記導体を覆いフラットハーネスを形成する第１ハーネス形成工程と、
この第１ハーネス形成工程を経た前記フラットハーネスの前記開口窓部を覆い絶縁すると共に、所定の開口窓部形成位置においては前記開口窓部内で露出された複数の導体のうちの所定の導体のみを露出させる所定の大きさの分岐開口部が予め形成された第１絶縁部材を、前記フラットハーネスの前記開口窓部を覆うように前記第１及び第２の絶縁被覆の少なくとも一方に貼り付ける第１絶縁部材貼付工程と、
この第１絶縁部材貼付工程を経た前記フラットハーネスを前記開口部形成位置で前記複数の導体が露出した口出し状態となるように前記フラットハーネスの長手方向と交差する方向に切断すると共に、前記長手方向に沿って前記第１及び第２の絶縁被覆の不要部分を除去して複数のフラットハーネスを形成するハーネス加工工程と、
このハーネス加工工程を経た前記複数のフラットハーネスのうち、前記開口窓部が形成され前記第１絶縁部材が貼り付けられたフラットハーネスの前記分岐開口部における露出された導体に、他のフラットハーネスの口出しされた導体を直接接続して分岐部を備えるフラットハーネスを形成する第２ハーネス形成工程と
を備えることを特徴とするフラットハーネスの製造方法。
【請求項５】
前記第２ハーネス形成工程の後に、前記分岐部を絶縁するための第２絶縁部材を前記分岐開口部を覆うように前記フラットハーネスに貼り付ける第２絶縁部材貼付工程を更に備える
ことを特徴とする請求項４記載のフラットハーネスの製造方法。
【請求項６】
前記穴あけ工程は、レーザ加工又はプレス加工により行われることを特徴とする請求項４又は５記載のフラットハーネスの製造方法。
【請求項７】
前記導体配置工程は、銅、銅合金及びアルミニウムのいずれか１つからなる丸型断面形状又は矩形断面形状の導体を所定の回路形態に配置して行われることを特徴とする請求項４〜６のいずれか１項記載のフラットハーネスの製造方法。
【請求項８】
前記第１ハーネス形成工程は、ラミネート加工により行われることを特徴とする請求項４〜７のいずれか１項記載のフラットハーネスの製造方法。
【請求項９】
前記ラミネート加工は、熱板プレス又はロールプレスにより行われることを特徴とする請求項８記載のフラットハーネスの製造方法。
【請求項１０】
前記ハーネス加工工程は、切断刃を備えるスリッタを用いたスリット加工により行われることを特徴とする請求項４〜９のいずれか１項記載のフラットハーネスの製造方法。
【請求項１１】
前記第２ハーネス形成工程における導体同士の直接接続は、レーザ加工、溶接及び半田付けのいずれか１つにより行われることを特徴とする請求項４〜１０のいずれか１項記載のフラットハーネスの製造方法。
【請求項１２】
複数の導体を平面状に並設し絶縁被覆で覆った構造からなるフラットハーネスの分岐構造であって、
前記フラットハーネスは、複数の部材間を電気的に接続する本回路部及びこの本回路部から分岐する分岐回路部を備え、
前記本回路部は、少なくとも一方の面に前記絶縁被覆を除去して前記導体を露出させた１又は複数の開口窓部を備えてなり、
前記分岐回路部は、前記開口窓部から露出された導体にこの導体に沿った状態となるように前記分岐回路部の導体を直接接続した分岐部を介して前記本回路部から分岐されている
ことを特徴とするフラットハーネスの分岐構造。
【請求項１３】
複数の導体を平面状に並設し絶縁被覆で覆った構造からなるフラットハーネスの分岐構造であって、
前記フラットハーネスは、複数の部材間を電気的に接続する本回路部及びこの本回路部から分岐する分岐回路部を備え、
前記本回路部は、少なくとも一方の面に前記絶縁被覆を除去して前記複数の導体を露出させた開口窓部が形成されると共に、この開口窓部を覆う絶縁部材を有し、前記絶縁部材は、前記開口窓部内で露出された複数の導体の前記分岐回路部と接続される部分のみを露出させる１又は複数の分岐開口部を備えてなり、
前記分岐回路部は、前記分岐開口部から露出された導体にこの導体に沿った状態となるように前記分岐回路部の導体を直接接続した分岐部を介して前記本回路部から分岐されている
ことを特徴とするフラットハーネスの分岐構造。
【請求項１４】
前記分岐回路部は、前記分岐部から前記導体の芯線方向の所定範囲内では前記導体が前記本回路部の導体に沿った状態で分岐され、且つ前記所定範囲外では前記導体と直交する方向に折り曲げられた状態で分岐されている
ことを特徴とする請求項１２又は１３記載のフラットハーネスの分岐構造。
【発明の詳細な説明】
【技術分野】
【０００１】
本発明は、複数の導体を平面状に並設してなるフラットハーネスの分岐構造及びその製造方法に関し、特に部品点数を増やさずに複数の回路に分岐する分岐部を備えることができるフラットハーネスの分岐構造及びその製造方法に関する。
【背景技術】
【０００２】
従来から、複数の回路に分岐する分岐部を備えたフラットハーネスとしては、図１１に示すようなものがある。図１１のフラットハーネス１００は、所定の長さで帯状に形成したフラットハーネス１００の一方の端末部を幹部（本回路部）１１０とし、他方の端末部を複数に分岐した枝部（分岐回路部）１２０，１３０として、幹部１１０を構成する複数の導体１５０の２以上に導体１５０同士を短絡させる短絡金具２１０，２２０を備えるジョイント器２００を接続して枝部１２０，１３０間を電気的に短絡させるものである（例えば、特許文献１参照。）。
【０００３】
【特許文献１】特開平７−３２０５４５号公報（第４−９頁、第１−２０図）
【０００４】
この特許文献１に記載のフラットハーネス１００では、ハーネスの厚さを抑え、ハーネスを一体もののまま分岐可能とし、ジョイント器２００を接続するだけで分岐作業が行える旨が開示されている。
【発明の開示】
【発明が解決しようとする課題】
【０００５】
しかしながら、特許文献１に記載のものでは、回路の分岐に際してハーネスとは別部材となるジョイント器２００が必要となるため、フラットハーネス１００を構成する部品点数が増えてしまうという問題がある。
【０００６】
本発明は、このような問題点に鑑みてなされたもので、部品点数を増やさずに分岐部を備えることができるフラットハーネスの分岐構造及びその製造方法を提供することを目的とする。
【課題を解決するための手段】
【０００７】
本発明に係る第１のフラットハーネスの分岐構造は、複数の導体を平面状に並設し絶縁被覆で帯状に覆った構造からなるフラットハーネスの分岐構造であって、前記フラットハーネスは、複数の部材間を電気的に接続する本回路部及びこの本回路部から分岐する分岐回路部を備え、前記本回路部は、少なくとも一方の面に前記絶縁被覆を除去して前記複数の導体を露出させた開口窓部が形成されると共に、この開口窓部を覆う絶縁部材を有し、前記絶縁部材は、前記開口窓部内で露出された複数の導体の前記分岐回路部と接続される部分のみを露出させる分岐開口部を備えてなり、前記分岐回路部は、前記分岐開口部から露出された導体に前記分岐回路部の導体を直接接続した分岐部を介して前記本回路部から分岐されていることを特徴とする。
【０００８】
本発明に係る第２のフラットハーネスの分岐構造は、複数の導体を平面状に並設し絶縁被覆で覆った構造からなるフラットハーネスの分岐構造であって、前記フラットハーネスは、複数の部材間を電気的に接続する本回路部及びこの本回路部から分岐する分岐回路部を備え、前記本回路部は、少なくとも一方の面に前記絶縁被覆を除去して前記導体を露出させた１又は複数の開口窓部を備えてなり、前記分岐回路部は、前記開口窓部から露出された導体にこの導体に沿った状態となるように前記分岐回路部の導体を直接接続した分岐部を介して前記本回路部から分岐されていることを特徴とする。
【０００９】
本発明に係る第３のフラットハーネスの分岐構造は、複数の導体を平面状に並設し絶縁被覆で覆った構造からなるフラットハーネスの分岐構造であって、前記フラットハーネスは、複数の部材間を電気的に接続する本回路部及びこの本回路部から分岐する分岐回路部を備え、前記本回路部は、少なくとも一方の面に前記絶縁被覆を除去して前記複数の導体を露出させた開口窓部が形成されると共に、この開口窓部を覆う絶縁部材を有し、前記絶縁部材は、前記開口窓部内で露出された複数の導体の前記分岐回路部と接続される部分のみを露出させる１又は複数の分岐開口部を備えてなり、前記分岐回路部は、前記分岐開口部から露出された導体にこの導体に沿った状態となるように前記分岐回路部の導体を直接接続した分岐部を介して前記本回路部から分岐されていることを特徴とする。
【００１０】
本発明に係るフラットハーネスの製造方法は、複数の導体を平面状に並設し絶縁被覆で覆った構造からなるフラットハーネスの製造方法であって、帯状に送り出された第１及び第２の絶縁被覆の両方の所定箇所に所定の大きさの開口部を形成すると共に前記第１及び第２の絶縁被覆の少なくとも一方の所定箇所に所定の大きさの開口窓部を形成する穴あけ工程と、前記第１及び第２の絶縁被覆のいずれか一方に前記複数の導体を配置する導体配置工程と、この導体配置工程を経て前記複数の導体が配置された前記第１及び第２の絶縁被覆のいずれか一方の上に、前記第１及び第２の絶縁被覆のいずれか他方を前記開口部が重なるように載置して両絶縁被覆で前記導体を覆いフラットハーネスを形成する第１ハーネス形成工程と、この第１ハーネス形成工程を経た前記フラットハーネスの前記開口窓部を覆い絶縁すると共に、所定の開口窓部形成位置においては前記開口窓部内で露出された複数の導体のうちの所定の導体のみを露出させる所定の大きさの分岐開口部が予め形成された第１絶縁部材を、前記フラットハーネスの前記開口窓部を覆うように前記第１及び第２の絶縁被覆の少なくとも一方に貼り付ける第１絶縁部材貼付工程と、この第１絶縁部材貼付工程を経た前記フラットハーネスを前記開口部形成位置で前記複数の導体が露出した口出し状態となるように前記フラットハーネスの長手方向と交差する方向に切断すると共に、前記長手方向に沿って前記第１及び第２の絶縁被覆の不要部分を除去して複数のフラットハーネスを形成するハーネス加工工程と、このハーネス加工工程を経た前記複数のフラットハーネスのうち、前記開口窓部が形成され前記第１絶縁部材が貼り付けられたフラットハーネスの前記分岐開口部における露出された導体に、他のフラットハーネスの口出しされた導体を直接接続して分岐部を備えるフラットハーネスを形成する第２ハーネス形成工程とを備えることを特徴とする。
【００１１】
なお、フラットハーネスに形成される分岐開口部は、１つの前記分岐部に対して１つ形成されると良い。この場合、１つの導体から２つの導体が分岐するような分岐部は１つの分岐部と考えられるため、分岐開口部は１つ形成されれば良い。
【００１２】
また、本発明のフラットハーネスの製造方法においては、例えば第２ハーネス形成工程の後に、分岐部を絶縁するための第２絶縁部材を分岐開口部を覆うようにフラットハーネスに貼り付ける第２絶縁部材貼付工程を更に備えていても良い。
【００１３】
そして、フラットハーネスの製造方法における穴あけ工程は、例えばレーザ加工又はプレス加工により行われると良く、導体配置工程は、例えば銅、銅合金及びアルミニウムのいずれか１つからなる丸型断面形状又は矩形断面形状の導体を所定の回路形態に配置して行われる。
【００１４】
また、第１ハーネス形成工程は、例えばラミネート加工により行われると良く、この場合ラミネート加工は、例えば熱板プレス又はロールプレスにより行われる。
【００１５】
更に、ハーネス加工工程は、例えば切断刃を備えるスリッタを用いたスリット加工により行われると良い。
【００１６】
そして、第２ハーネス形成工程における導体同士の直接接続は、例えばレーザ加工、溶接及び半田付けのいずれか１つにより行われる。
【００１７】
なお、フラットハーネスの分岐回路部は、例えば分岐部から導体の芯線方向の所定範囲内では導体が本回路部の導体に沿った状態で分岐され、且つ所定範囲外では導体と直交する方向に折り曲げられた状態で分岐されていると良い。
【発明の効果】
【００１８】
本発明によれば、フラットハーネスの本回路部における開口窓部内の露出した導体のうち、開口窓部を覆うように貼り付けられた第１絶縁部材により所定の導体を分岐開口部で露出すると共に他の導体を絶縁し、分岐回路部の導体を分岐開口部で直接接続して分岐部を形成するため、分岐のための従来のジョイント器などの別部品が不要となり、部品点数を増やさずに分岐部を備えることが可能となる。
また、第１絶縁部材の分岐開口部のパターンを適宜変更するだけで、同一形状の開口窓部において様々な分岐回路形態を実現することができるため、分岐回路部を有するフラットハーネスの汎用性を安価に向上させることが可能となる。
【発明を実施するための最良の形態】
【００１９】
以下、添付の図面を参照して、本発明の好ましい実施の形態を説明する。
【００２０】
図１は、本発明の一実施形態に係るフラットハーネスの分岐構造を説明するためのフラットハーネスの概略全体図である。
図１に示すように、フラットハーネス１は、銅、銅合金又はアルミニウム等からなる丸型断面形状又は矩形断面形状の複数の導体１０を平面状に並設してポリエチレンテレフタレート（ＰＥＴ）等の合成樹脂からなる絶縁被覆２０で覆った構造からなり、複数の部材（図示せず）間を電気的に接続する本回路部３０と、この本回路部３０から分岐する分岐回路部４０，５０とを備えて構成されている。
【００２１】
本回路部３０には、複数の導体１０を覆う絶縁被覆２０の少なくとも一方の面側に絶縁被覆２０を除去して複数の導体１０を露出させた開口窓部６０が形成され、この開口窓部６０の上に開口窓部６０を覆うように、所定の導体１０を露出させる分岐開口部８０が形成された第１絶縁部材としての絶縁フィルム７０が貼り付けられている。分岐回路部４０，５０は、端末部において導体１０が露出された（口出しされた）状態で形成され、これら分岐回路部４０，５０の口出しされた複数の導体１０のうち、所定の導体１０は、本回路部３０の分岐開口部８０において露出された本回路部３０の導体１０とレーザ加工、溶接又は半田付け等により直接接続されている。この導体１０同士の接続部分は、フラットハーネス１の分岐部９０を構成する。
【００２２】
なお、絶縁フィルム７０が貼り付けられ分岐開口部８０が形成された本回路部３０上の所定範囲（ここでは、絶縁フィルム７０を覆う範囲）には、分岐開口部８０を封止・絶縁するための合成樹脂などからなる第２絶縁部材としてのカバー材９５が貼着されている。
【００２３】
このフラットハーネス１の分岐構造によれば、フラットハーネス１の本回路部３０における開口窓部６０内の露出した複数の導体１０のうち、絶縁フィルム７０の分岐開口部８０により露出された所定の導体１０に、分岐回路部４０，５０の導体１０を直接接続して分岐部９０を形成するため、分岐のための従来のジョイント器等の別部品が不要となり、部品点数を増やさずに分岐部９０を備えることができる。開口窓部６０で露出された複数の導体１０のうち、分岐接続される導体１０以外の導体１０は、絶縁フィルム７０により絶縁されているため、分岐回路部４０，５０の導体１０と短絡することはない。また、絶縁フィルム７０の分岐開口部８０のパターンを適宜変更するだけで、同一形状で形成された開口窓部６０において様々な分岐回路形態を実現することができるため、分岐回路部４０，５０を有するフラットハーネス１の汎用性を安価に向上させることができる。
【００２４】
なお、このフラットハーネス１では、１つの分岐部９０に対して絶縁フィルム７０の分岐開口部８０が１つ形成されているが、図２に示すように、１つの導体１０に対して複数の導体１０が直接接続され分岐部９０が複数形成された場合も、１つの導体１０に対する電気的な分岐は１つといえるため、分岐開口部８０は１つ形成されていれば良い。
【００２５】
図３は、同実施形態に係るフラットハーネスの製造工程を示すフローチャート、図４Ａ及び図４Ｂは、この製造工程の簡易平面図、図５は、この製造工程で形成されたフラットハーネスの一部拡大平面図である。なお、以降において、既に説明した部分と重複する説明は省略する。
まず、図４Ａ（１）及び（２）に示すように、図示しないテープロールから送り出された帯状の第１の絶縁被覆２１及び第２の絶縁被覆２２の両方について、穴あけ工程で例えばレーザ加工やプレス加工により所定箇所に所定の大きさの開口部２９を形成すると共に、第１の絶縁被覆２１の所定箇所に所定の大きさの開口窓部６０を所定数形成する（Ｓ１）。
【００２６】
次に、図４Ａ（３）に示すように、第２の絶縁被覆２２の上に、導体配置工程で例えば銅、銅合金及びアルミニウムのいずれか１つからなる丸型断面形状又は矩形断面形状の複数の導体１０を所定の回路形態に配置する（Ｓ２）。
【００２７】
そして、図４Ａ（４）に示すように、第１ハーネス形成工程で例えば複数の導体１０が配置された第２の絶縁被覆２２の上に、第１の絶縁被覆２１を互いの開口部２９が同じ位置に重なるように載置して熱板プレスやロールプレスによるラミネート加工で両絶縁被覆２１，２２で複数の導体１０を覆いフラットハーネスの原型Ｈを形成する（Ｓ３）。この第１ハーネス形成工程で行われるラミネート加工は、例えば第１及び第２の絶縁被覆２１，２２のいずれか一方に予め熱可塑性の接着剤を塗布するなどした後に行われる。
【００２８】
こうして第１ハーネス形成工程で形成されたフラットハーネスの原型Ｈの開口窓部６０上に、第１絶縁部材貼付工程で、図４Ｂ（１）に示すように、開口窓部６０内で露出された複数の導体１０のうちの所定の導体１０を露出する分岐開口部８０が予め形成された絶縁フィルム７０を、開口窓部６０を覆うような状態で貼り付ける（Ｓ４）。この第１絶縁部材貼付工程により開口窓部６０内で露出された導体１０のうち、分岐開口部８０で露出される導体１０以外の導体１０が封止・絶縁される。
【００２９】
この第１絶縁部材貼付工程で絶縁フィルム７０が貼り付けられたフラットハーネスの原型Ｈを、図４Ｂ（２）に示すように、ハーネス加工工程で例えばフラットハーネスの原型Ｈの長手方向に沿って第１及び第２の絶縁被覆２１，２２の不要部分（例えば、短手方向両端部分）２７，２８を切断刃を備えるスリッタ（図示せず）などを用いたスリット加工により除去すると共に、図４Ｂ（３）に示すように、開口部２９形成位置で複数の導体１０が露出した状態（口出し状態）となるように短手方向に切断して複数のフラットハーネス（本回路部３０、分岐回路部４０，５０など）を形成する（Ｓ５）。
【００３０】
そして、図５に示すように、第２ハーネス形成工程で例えばハーネス加工工程で形成された複数のフラットハーネスのうち、開口窓部６０に絶縁フィルム７０が貼り付けられ分岐開口部８０が形成された本回路部３０となるべきフラットハーネスの分岐開口部８０における露出された導体１０に、分岐回路部４０，５０（ここでは、分岐回路部５０のみ図示）となるべきフラットハーネスの口出しされた導体１０をレーザ加工、溶接及び半田付けなどにより直接接続して分岐部９０を備えるフラットハーネス１を形成する（Ｓ６）。
【００３１】
このようにしてフラットハーネス１が製造されれば、一連の製造工程の流れで分岐部分までも備えたフラットハーネスを所定の製品長や回路形態などで形成することができるため、製造工数の大幅な削減に基づくコストの低減を実現することが可能となる。そして最後に、フラットハーネス１の導通検査等の完成検査を行ってフラットハーネス１が完成される（Ｓ７）。
【００３２】
なお、第２ハーネス形成工程と完成検査との間の工程に、例えば第２絶縁部材貼付工程としてフラットハーネス１の分岐開口部８０が形成された本回路部３０上の所定範囲（ここでは、絶縁フィルム７０を覆う範囲）に図１に示すような分岐部９０を封止・絶縁するためのカバー材９５等を貼り付けたりしてフラットハーネス１の封止・絶縁を更に図るようにしても良い。また、図６に示すように、絶縁フィルム７０の分岐開口部８０の形成態様によっては、フラットハーネス１の本回路部３０の所定の導体１０を分岐回路部５０の導体１０で短絡接続させることも可能となるため、様々な回路形態に対応することが可能である。
【００３３】
図７Ａ及び図７Ｂは、本発明の他の実施形態に係るフラットハーネスの製造工程の簡易平面図である。
この実施形態では、図７Ａ（１）及び（２）に示すように、第１及び第２の絶縁被覆２１，２２の両方について穴あけ工程で所定箇所に所定の大きさの開口部２９を形成すると共に開口窓部６０を所定数形成し、図７Ａ（３）に示すように、導体配置工程で両絶縁被覆２１，２２のいずれか一方に複数の導体１０を配置して、図７Ａ（４）に示すように、第１ハーネス形成工程で両絶縁被覆２１，２２を互いの開口部２９及び開口窓部６０が同じ位置に重なるように貼り合わせる。そして、図７Ｂ（１）及び（２）に示すように、第１絶縁部材貼付工程で、分岐開口部８０が形成された絶縁フィルム７０を両絶縁被覆２１，２２の所定位置の開口窓部６０を覆い且つ分岐開口部８０が重なるように貼り付けて、図７Ｂ（３）及び（４）に示すように、ハーネス加工工程で複数のフラットハーネス（本回路部３０、分岐回路部４０，５０）を形成した後、例えば本回路部３０の両面側から分岐開口部８０の導体１０に分岐回路部４０，５０の導体１０を直接接続して分岐部９０を形成することができるようにした点が、先の実施形態とは相違している。この実施形態でも、一連の製造工程の流れで分岐部分の数を更に増やしたフラットハーネスを所定の製品長などで形成することができるため、製造工数の大幅な削減によるコストの低減などを実現することができる。
【００３４】
なお、上述したフラットハーネス１は、いわゆるフレキシブルプリント回路（ＦＰＣ）からなるものであるが、フレキシブルフラット回路（ＦＦＣ）やフレキシブルフラットケーブル（ＦＦＣ）からなるものでも良い。
【００３５】
図８は、本発明の他の実施形態に係るフラットハーネスの分岐構造を説明するためのフラットハーネスの一部拡大平面図である。
このフラットハーネス１Ａは、例えば本回路部３０の一方の面の絶縁被覆２０を除去した開口窓部６０が形成され、分岐回路部４０が分岐部９０から導体１０の芯線方向の所定範囲内では導体１０が本回路部３０の導体１０に沿った状態で分岐され、且つ所定範囲外では導体１０と直交する方向に折り曲げられた状態で分岐され、分岐開口部８０が形成された絶縁フィルム７０を介さずにカバー材９５が貼着されて構成されている点が、先の例のフラットハーネス１と相違している。
【００３６】
このような構成によると、開口窓部６０内において、本回路部３０の導体１０と分岐回路部４０の導体１０とが交差しないため、分岐開口部８０を有する絶縁フィルム７０がなくても隣接導体１０間での短絡等の不具合が発生しない。
【００３７】
図９は、本発明の更に他の実施形態に係るフラットハーネスの分岐構造を説明するためのフラットハーネスの一部拡大平面図である。
このフラットハーネス１Ｂは、例えば本回路部３０の一方の面の絶縁被覆２０を除去した開口窓部６０が形成され、この開口窓部６０を覆うように所定の複数の分岐開口部８０が形成された絶縁フィルム７０を貼着し、分岐回路部４０の導体１０と本回路部３０の導体１０とを分岐開口部８０内で分岐部９０を介して接続した点が、先の例のフラットハーネス１Ａと相違している。
【００３８】
このような構成であれば、更に上記フラットハーネス１Ａよりも隣接導体１０間での短絡等の不具合を発生し難くすることができる。
【００３９】
なお、上記フラットハーネス１Ｂにおいても本回路部３０の導体１０と分岐回路部４０の導体１０とが、分岐回路部４０が分岐部９０から導体１０の芯線方向の所定範囲内では導体１０が本回路部３０の導体１０に沿った状態で分岐され、且つ所定範囲外では導体１０と直交する方向に折り曲げられた状態で分岐されている。このため、例えば図１０に示すフラットハーネス１Ｃのように、絶縁フィルム７０の分岐開口部８０を１つだけ形成し、その分岐開口部８０内で各導体１０の分岐を分岐部９０を介して図り、分岐回路部４０を備えるようにしても良い。
【００４０】
ここで、これらのフラットハーネス１Ａ〜１Ｃは、一方の面の絶縁被覆２０が除去されて開口窓部６０が形成された構造であるため、本回路部３０の導体１０と分岐回路部４０の導体１０とは、分岐部９０において例えば抵抗溶接（シリーズ溶接）により直接接続されると良い。なお、シリーズ溶接については公知技術であるためここでは説明を省略する。
【産業上の利用可能性】
【００４１】
本発明は、複数の導体を平面状に並設したフラットハーネスを製造し使用する各種の用途に利用することができる。
【図面の簡単な説明】
【００４２】
【図１】本発明の一実施形態に係るフラットハーネスの分岐構造を説明するためのフラットハーネスの概略全体図である。
【図２】同実施形態における他の分岐構造を説明するためのフラットハーネスの一部拡大図である。
【図３】同実施形態に係るフラットハーネスの製造工程を示すフローチャートである。
【図４Ａ】同製造工程の簡易平面図である。
【図４Ｂ】同製造工程の簡易平面図である。
【図５】同製造工程で形成されたフラットハーネスの一部拡大平面図である。
【図６】同製造工程で形成されたフラットハーネスの他の一部拡大平面図である。
【図７Ａ】本発明の他の実施形態に係るフラットハーネスの製造工程の簡易平面図である。
【図７Ｂ】同製造工程の簡易平面図である。
【図８】本発明の他の実施形態に係るフラットハーネスの分岐構造を説明するためのフラットハーネスの一部拡大平面図である。
【図９】本発明の更に他の実施形態に係るフラットハーネスの分岐構造を説明するためのフラットハーネスの一部拡大平面図である。
【図１０】本発明の更に他の実施形態に係るフラットハーネスの分岐構造を説明するためのフラットハーネスの一部拡大平面図である。
【図１１】従来のフラットハーネスを示す概略全体図である。
【符号の説明】
【００４３】
１，１Ａ，１Ｂ，１Ｃ…フラットハーネス、１０…導体、２０…絶縁被覆、２１…第１の絶縁被覆、２２…第２の絶縁被覆、２９…開口部、３０…本回路部、４０，５０…分岐回路部、６０…開口窓部、７０…絶縁フィルム、８０…分岐開口部、９０…分岐部、９５…カバー材。
【図１】
2005135823.tif 000003
【図２】
2005135823.tif 000004
【図３】
2005135823.tif 000005
【図４Ａ】
2005135823.tif 000006
【図４Ｂ】
2005135823.tif 000007
【図５】
2005135823.tif 000008
【図６】
2005135823.tif 000009
【図７Ａ】
2005135823.tif 000010
【図７Ｂ】
2005135823.tif 000011
【図８】
2005135823.tif 000012
【図９】
2005135823.tif 000013
【図１０】
2005135823.tif 000014
【図１１】
2005135823.tif 000015